(57)【要約】【課題】格納位置における音響反射板の下縁の高さを高めた場合でも、格納位置における音響反射板の上縁の高さが高まるのを防止し、舞台の施設の天井の高さを低く抑えることにある。【解決手段】側面音響反射板（音響反射板）１を舞台上の設置位置Ａ１及び当該設置位置Ａ１から離れた格納位置Ｂ１に移動すべく構成してなり、側面音響反射板１を、上側反射板要素１１及び下側反射板要素１２による複数の反射板要素によって構成し、各上側反射板要素１１及び下側反射板要素１２を、設置位置Ａ１においては側面音響反射板１としての機能を発揮すべく上下方向に連なった設置状態とし、格納位置Ｂ１においては互いに厚さ方向に重なった格納状態とすべく構成している。【選択図】  図１
2008272346.tif 000002
【特許請求の範囲】
【請求項１】
音響反射板を舞台上の設置位置及び当該設置位置から離れた格納位置に移動すべく構成してなる音響反射板移動装置であって、
前記音響反射板は、複数の反射板要素によって構成されており、
前記各反射板要素は、前記設置位置においては前記音響反射板としての機能を発揮すべく上下方向に連なった設置状態となり、前記格納位置においては互いに厚さ方向に重なった格納状態となるように構成されていることを特徴とする音響反射板移動装置。
【請求項２】
前記設置位置から前記格納位置へ移動する過程で前記設置状態から前記格納状態まで変化し、かつ前記格納位置から前記設置位置へ移動する過程で前記格納状態から前記設置状態まで変化するように、下方に位置する前記反射板要素ほど移動速度が高く設定されていることを特徴とする請求項１に記載の音響反射板移動装置。
【請求項３】
前記反射板要素のうち最下位置の反射板要素の上方に位置する反射板要素の背面には、前記設置位置と前記格納位置との間での移動に際して、前記各反射板要素を厚さ方向に重なるように案内する案内手段が設けられていることを特徴とする請求項１又は２に記載の音響反射板移動装置。
【請求項４】
前記反射板要素のうち最上位置の反射板要素は、その上端部が前記設置位置の上方から延在する設置用索条に連結され、前記設置位置に移動した際に、前記設置用索条によって前記設置位置に保持されるようになっており、
前記最上位置の反射板要素の下方に位置する反射板要素は、前記設置位置に移動した際に、前記最上位置の反射板要素の下方に連なるように連結されることにより前記設置位置に保持されるようになっており、
前記全ての反射板要素は、その上端部が前記格納位置の上方から延在し各反射板要素に対して牽引力を発揮し得る格納用索条に連結され、前記格納用索条の牽引力の発揮によって前記設置位置から前記格納位置に移動されると共に当該格納位置に保持され、前記牽引力の解除により前記格納位置から前記設置位置に移動されるようになっていることを特徴とする請求項１〜３の何れかに記載の音響反射板移動装置。
【請求項５】
前記各格納用索条は、一の駆動源によって駆動された外周速度の異なる各ドラムの外周面に巻き取られることによって前記牽引力を発揮すると共に、当該巻き取られる方向に移動し、前記各ドラムの外周面から巻き出されることによって前記牽引力を解除すると共に、当該巻き出される方向に移動することにより、前記各反射板要素をその下方に位置するものほど高い速度で前記設置位置及び前記格納位置の各位置に移動するようになっていることを特徴とする請求項４に記載の音響反射板移動装置。
【発明の詳細な説明】
【技術分野】
【０００１】
本発明は、音響反射板を舞台上の設置位置及び当該設置位置から離れた格納位置に移動する音響反射板移動装置に関する。
【背景技術】
【０００２】
この種の音響反射板移動装置としては、舞台上に設置される例えば側面位置の音響反射板を、ワイヤロープ（索条）で吊持することによって舞台上の所定の設置位置に移動させたり、当該設置位置から離れた所定の格納位置に移動させたりするように構成されたものが知られている（例えば、特許文献１参照。）。
【０００３】
音響反射板は、一体的に形成された平面状のもので構成されており、ワイヤロープによって鉛直方向に延在するように吊下げられるようになっている。
【０００４】
ワイヤロープは、天井付近に配置されたスノコにおける上記設置位置に対応する位置から下方に延在する設置用ワイヤロープ（設置用索条）と、上記スノコにおける上記格納位置に対応する位置から下方に延在する移動用ワイヤロープ（格納用索条）とを備えた構成になっている。
【０００５】
設置用ワイヤロープは、音響反射板の上端部に連結されており、当該音響反射板が設置位置に移動した際に、当該音響反射板を設置位置に保持するようになっている。
【０００６】
移動用ワイヤロープは、その一端部が音響反射板の上端部に連結され、他端部が駆動装置に連結されており、この駆動装置によって、牽引力を発揮する方向に移動したり、当該牽引力を解除する方向に移動したりするようになっている。そして、牽引力を発揮する方向に移動することにより、音響反射板を設置位置から格納位置に移動し、牽引力を解除する方向に移動することにより、音響反射板を格納位置から設置位置に移動するようになっている。
【０００７】
設置位置においては、移動用ワイヤロープの牽引力がほぼ完全に除去されることから、音響反射板は設置用ワイヤロープによって吊下げられた状態となる。即ち、音響反射板は、設置位置において、鉛直方向に延在した安定した状態に保持される。また、格納位置においては、移動用ワイヤロープが牽引力を保持した状態で停止することになるが、これにより音響反射板は移動用ワイヤロープによって吊下げられた状態となる。即ち、音響反射板は、格納位置においても、鉛直方向に延在した安定した状態に保持される。
【０００８】
【特許文献１】特開２００１−５４６８７号公報
【発明の開示】
【発明が解決しようとする課題】
【０００９】
ところが、上記従来の音響反射板移動装置においては、一体的に形成された平面状の音響反射板が鉛直方向を維持した状態のまま設置位置や格納位置に移動することになるので、格納位置における音響反射板の下縁の高さを舞台周辺の床上の人や物等に当たらないような高さまで高めようとした場合には、その高さの上昇に連れて音響反射板の上縁の高さも高くなってしまうことになる。このため、舞台の周囲を構成する施設の天井の高さも高くする必要があるという問題があった。
【００１０】
本発明は、上記事情に鑑みてなされたものであり、格納位置における音響反射板の下縁の高さを高めた場合でも、それに連れて当該格納位置における音響反射板の上縁の高さが高まるのを防止することができ、舞台の周囲を構成する施設の天井の高さを低く抑えることのできる音響反射板移動装置を提供することを課題としている。
【課題を解決するための手段】
【００１１】
上記課題を解決するために、請求項１に記載の発明は、音響反射板を舞台上の設置位置及び当該設置位置から離れた格納位置に移動すべく構成してなる音響反射板移動装置であって、前記音響反射板は、複数の反射板要素によって構成されており、前記各反射板要素は、前記設置位置においては前記音響反射板としての機能を発揮すべく上下方向に連なった設置状態となり、前記格納位置においては互いに厚さ方向に重なった格納状態となるように構成されていることを特徴としている。
【００１２】
請求項２に記載の発明は、請求項１に記載の発明において、前記設置位置から前記格納位置へ移動する過程で前記設置状態から前記格納状態まで変化し、かつ前記格納位置から前記設置位置へ移動する過程で前記格納状態から前記設置状態まで変化するように、下方に位置する前記反射板要素ほど移動速度が高く設定されていることを特徴としている。
【００１３】
請求項３に記載の発明は、請求項１又は２に記載の発明において、前記反射板要素のうち最下位置の反射板要素の上方に位置する反射板要素の背面には、前記設置位置と前記格納位置との間での移動に際して、前記各反射板要素を厚さ方向に重なるように案内する案内手段が設けられていることを特徴としている。
【００１４】
請求項４に記載の発明は、請求項１〜３の何れかに記載の発明において、前記反射板要素のうち最上位置の反射板要素は、その上端部が前記設置位置の上方から延在する設置用索条に連結され、前記設置位置に移動した際に、前記設置用索条によって前記設置位置に保持されるようになっており、前記最上位置の反射板要素の下方に位置する反射板要素は、前記設置位置に移動した際に、前記最上位置の反射板要素の下方に連なるように連結されることにより前記設置位置に保持されるようになっており、前記全ての反射板要素は、その上端部が前記格納位置の上方から延在し各反射板要素に対して牽引力を発揮し得る格納用索条に連結され、前記格納用索条の牽引力の発揮によって前記設置位置から前記格納位置に移動されると共に当該格納位置に保持され、前記牽引力の解除により前記格納位置から前記設置位置に移動されるようになっていることを特徴としている。
【００１５】
請求項５に記載の発明は、請求項４に記載の発明において、前記各格納用索条は、一の駆動源によって駆動された外周速度の異なる各ドラムの外周面に巻き取られることによって前記牽引力を発揮すると共に、当該巻き取られる方向に移動し、前記各ドラムの外周面から巻き出されることによって前記牽引力を解除すると共に、当該巻き出される方向に移動することにより、前記各反射板要素をその下方に位置するものほど高い速度で前記設置位置及び前記格納位置の各位置に移動するようになっていることを特徴としている。
【発明の効果】
【００１６】
請求項１に記載の発明によれば、音響反射板が複数の反射板要素によって構成され、各反射板要素は、設置位置においては音響反射板としての機能を発揮すべく上下方向に連なった設置状態となり、格納位置においては互いに厚さ方向に重なった格納状態となるように構成されているので、格納位置における音響反射板の下縁の高さを人や物等が当たらないような高さまで高めた場合でも、それに連れて音響反射板の上縁の高さが高まるのを防止することができる。従って、舞台の周囲を構成する施設の天井の高さを低く抑えることができる。
【００１７】
請求項２に記載の発明によれば、設置位置から格納位置へ移動する過程で上下方向に連なる設置状態から厚さ方向に重なる格納状態に変化し、かつ格納位置から設置位置に移動する過程で格納状態から設置状態に変化するよう、下方に位置する反射板要素ほど移動速度が高く設定されているので、音響反射板を短時間で設置状態及び格納状態に移行させることができる。しかも、例えば設置位置から格納位置に移動する過程における音響反射板の下縁の上昇速度が増加することになるので、設置位置から格納位置までの間の床上に人がいたり、物等があったりする場合でも、当該物等に音響反射板の下縁が当たるのを極力防止することができる。従って、舞台の周囲を有効に利用することができるという利点がある。
【００１８】
請求項３に記載の発明によれば、反射板要素のうち最下位置の反射板要素の上方に位置する反射板要素の背面に、設置位置と格納位置との間での移動に際して、各反射板要素を厚さ方向に重なるように案内する案内手段が設けられているので、上下に連なった設置状態から厚さ方向に重なった格納状態に確実に移行させることができると共に、その反対の方向にも確実に移行させることができる。
【００１９】
請求項４に記載の発明によれば、最上位置の反射板要素は設置用索条によって設置位置に保持することができ、最上位置の下方に位置する反射板要素は最上位置の反射板要素の下方に連なるようにして設置位置に保持することができる。しかも、全ての反射板要素については、格納用索条の牽引力の発揮によって設置位置から格納位置に移動することができると共に当該格納位置に保持することができ、かつ格納用索条の牽引力の解除によって格納位置から設置位置に移動することができる。
【００２０】
請求項５に記載の発明によれば、各格納用索条は一の駆動源によって駆動された外周速度の異なる各ドラムの外周面に巻き取られることによって牽引力を発揮すると共に、当該巻き取られる方向に移動し、各ドラムの外周面から巻き出されることによって牽引力を解除すると共に、当該巻き出される方向に移動することにより、各反射板要素をその下方に位置するものほど高い速度で設置位置及び格納位置の各位置に移動するようになっているので、各反射板要素の相対的な速度を乱すことなく、これらの反射板要素を設置位置や格納位置に確実に移動することができる。しかも、駆動源としては一つであるので、部品点数やコストの低減を図ることもできる。
【発明を実施するための最良の形態】
【００２１】
以下、本発明を実施するための最良の形態としての一実施の形態について図面を参照しながら説明する。
【００２２】
この実施の形態で示す音響反射板移動装置１００は、図１に示すように、音響反射板としての側面音響反射板１を舞台Ａ上の所定の設置位置Ａ１及び当該設置位置Ａ１から離れた舞台Ａの袖Ｂにおける格納位置Ｂ１に移動すべく構成したものである。
【００２３】
なお、音響反射板としては、図２に示すように、舞台Ａの上手及び下手の各位置に設置される上述した側面音響反射板１や、舞台Ａの奥に正面を向くようにして設置される正面音響反射板８や、舞台Ａの上方に設置される天井音響反射板９等がある。この実施の形態で示す音響反射板移動装置１００は側面音響反射板１又は正面音響反射板８の移動に関するものであるが、これらの音響反射板１、８はほぼ同様の構成になっているので、この実施の形態では上手の側面音響反射板１のみを示すことにより音響反射板移動装置１００の説明を行う。
【００２４】
側面音響反射板１は、図１に示すように、設置位置Ａ１に設置された状態において、上下に分割された上側反射板要素１１と下側反射板要素１２とを備えた構成になっている。これらの上側反射板要素１１及び下側反射板要素１２は、設置位置Ａ１においては側面音響反射板１としての音の反射機能を発揮すべく互いに近接した状態で上下方向に連なった設置状態となり、また格納位置Ｂ１においては互いに厚さ方向に重なった格納状態となるように構成されている。なお、図１においては、側面音響反射板１について、設置位置Ａ１にも格納位置Ｂ１にも実線で描いたものを示しているが、この側面音響反射板１については設置位置Ａ１及び格納位置Ｂ１の何れか一方に位置する場合には他方に位置することがないのはいうまでもない。
【００２５】
また、上側反射板要素１１は、設置状態においてほぼ四角形の平板状態となる側面音響反射板１の上側の約２／３の部分を占めるように形成されており、下側反射板要素１２は、同設置状態における側面音響反射板１の下側の約１／３の部分を占めるように形成されている。そして、下側反射板要素１２の下縁は、設置位置Ａ１においては舞台Ａの床面に近接するように位置し、格納位置Ｂ１においては舞台Ａの袖Ｂの床面より相当に高い位置であって、当該床面上の人や物等に当らないような高さに位置するようになっている。また、上側反射板要素１１の下縁についても、格納位置Ｂ１においては舞台Ａの袖Ｂの床面上の人や物等に当らないような高さまで移動するようになっている。なお、格納位置Ｂ１において、下側反射板要素１２の下縁は、上側反射板要素１１の下縁より少なくとも上方に位置するようになっている。
【００２６】
上側反射板要素１１は、その上端部が設置位置Ａ１の上方から延在する設置用ワイヤロープ（設置用索条）２に連結されている。この場合、上側反射板要素１１は、図２に示すように、その上端部における長手方向の各端部に配置された各連結部材１３を介して各設置用ワイヤロープ２に連結されている。
【００２７】
連結部材１３は、図３に示すように、三角形状に形成された支持板１３１を有しており、その支持板１３１の第１の角部がピン１３ａを介して上側反射板要素１１の上端部に設けられたブラケット１１ａに回動自在に連結され、第２の角部がピン１３ｂを介して設置用ワイヤロープ２に回動自在に連結されている。また、支持板１３１は平行に２枚配置された構造になっており、その間には動滑車１３ｃが回転自在に設けられている。なお、ピン１３ａ、１３ｂ及び動滑車１３ｃは、その回転軸の方向が水平方向を向いていると共に、上側反射板要素１１の上端部における長手方向と平行な方向を向いている。
【００２８】
各設置用ワイヤロープ２は、図１に示すように、一端部が各連結部材１３のピン１３ｂに連結され、他端部がスノコ３に設けられた各ブラケット３１に連結されている。スノコ３は、舞台Ａの周囲を構成する設備の天井（図示せず）の付近に設置されたものであり、舞台Ａで用いる仕掛けなどを吊下げるために用いられるようになっている。各ブラケット３１は、設置位置Ａ１に移動した状態における上側反射板要素１１の各連結部材１３の真上に対応するスノコ３の各部位に設けられている。
【００２９】
また、上側反射板要素１１は、その上端部が格納位置Ｂ１の上方から延在する上側格納用ワイヤロープ（格納用索条）５に連結されている。この場合、上側反射板要素１１は、各連結部材１３の動滑車１３ｃを介して各上側格納用ワイヤロープ５に連結されている。
【００３０】
各上側格納用ワイヤロープ５は、一端がスノコ３における格納位置Ｂ１に対応する位置に設けられたブラケット３２に連結され、中間部が動滑車１３ｃをＵ字状に巻回するように延在すると共に、スノコ３における格納位置Ｂ１に対応する位置に設けられた第１の定滑車３３に巻回することによってその延在する方向が変換され、他端部がその変換された方向の先にある後述する駆動装置７に連結されている。このため、上側反射板要素１１は、駆動装置７による上側格納用ワイヤロープ５の牽引力の発揮によって、上方に移動すると共に設置位置Ａ１から格納位置Ｂ１に移動し、また移動用ワイヤロープが牽引力を保持した状態で停止することにより当該格納位置Ｂ１に保持され、更に当該上側格納用ワイヤロープ５の牽引力の解除によって、下方に移動すると共に格納位置Ｂ１から設置位置Ａ１に移動するようになっている。
【００３１】
各ブラケット３２は、格納位置Ｂ１に移動した状態における上側反射板要素１１の各連結部材１３のほぼ真上に対応するスノコ３の各部位に設けられている。各第１の定滑車３３も、格納位置Ｂ１に移動した状態における上側反射板要素１１の各連結部材１３のほぼ真上に対応するスノコ３の各部位に設けられている。ただし、これらのブラケット３２及び第１の定滑車３３は、互いに干渉しないように所定の間隔をおいてスノコ３に設置されている。
【００３２】
また、上側反射板要素１１の背面１１ｂには、設置位置Ａ１と格納位置Ｂ１との間を移動する際に、上側反射板要素１１と下側反射板要素１２とを厚さ方向に重なるように案内するレール（案内手段）１４が設けられている。レール１４は、図２及び図４に示すように、平面視において各連結部材１３の近傍に配置されていると共に、図１に示すように、上側反射板要素１１の背面１１ｂに上下方向に延在すべく設けられている。
【００３３】
また、各レール１４は、図５に示すように、その下端部が上側反射板要素１１の背面１１ｂ側から当該上側反射板要素１１の表面（反射面）１１ｃ側に向かって傾いた傾斜部１４１となっている。なお、上側反射板要素１１の下端部には、傾斜部１４１を収容する凹部１１ｄが設けられている。
【００３４】
各レール１４は、図６及び図７に示すように、ウエブ１４ａの左右にフランジ１４ｂを有するＨ型状の断面形状に形成されており、左右に配置された各一対のフランジ１４ｂによって後述するローラ４ｂを挟持するようにして案内するようになっている。そして、レール１４の下端部には、図６及び図８に示すように、ローラ４ｂがレール１４の下方から抜け落ちるのを防止すると共に、当該レール１４の下方におけるローラ４ｂの位置を決定するためのストッパ１５が設けられている。ストッパ１５は、ウエブ１４ａの左右の各一対のフランジ１４ｂの間に配置されていると共に、当該フランジ１４ｂにボルト１５ａによって固定されるようになっている。
【００３５】
下側反射板要素１２は、図１に示すように、設置位置Ａ１に移動した際に、レール１４及び連結手段４を介して上側反射板要素１１の下方に連なるように連結され、これにより設置位置Ａ１に保持されるようになっている。
【００３６】
連結手段４は、図５に示すように、Ｌ字状に形成された連結アーム４１を有するもので構成されており、その連結アーム４１の角部がピン４ａを介して下側反射板要素１２の上端部に設けられたブラケット１２ａに回動自在に連結され、一端部が回転自在に構成されたローラ４ｂを介してレール１４に移動自在に連結されるようになっており、他端部がピン４ｃを介して格納位置Ｂ１の上方から延在する下側格納用ワイヤロープ（格納用索条）６に回動自在に連結されるようになっている。
【００３７】
ブラケット１２ａは、下側反射板要素１２の上端部における上側反射板要素１１の各レール１４に対応する位置に設けられている。ローラ４ｂは、各レール１４におけるウエブ１４ａの左右に位置する一対のフランジ１４ｂ間に挿入され、レール１４に沿って移動可能なように、各連結手段４に設けられている。
【００３８】
そして、連結手段４は、下側格納用ワイヤロープ６からの牽引力がほぼ解除された状態において、各ローラ４ｂがレール１４のストッパ１５に当たって停止すると共に、ピン４ａとローラ４ｂとの間が鉛直方向に延在するようになっており、これにより下側反射板要素１２の表面１２ｂを、上側反射板要素１１の表面１１ｃと同一面状に維持するようになっている。即ち、連結手段４及びレール１４のストッパ１５は、設置位置Ａ１における設置状態において、下側反射板要素１２の表面１２ｂを上側反射板要素１１の表面１１ｃと面一状となるように維持すると共に、上下方向において当該上側反射板要素１１の表面１１ｃと近接した状態となるように維持し、これによってほぼ一平面状の反射面を創出するようになっている。
【００３９】
また、連結手段４は、下側格納用ワイヤロープ６からの牽引力を受けることによって、ピン４ａとローラ４ｂとの間がほぼ水平方向に延在する状態となり、これによって、下側反射板要素１２を上側反射板要素１１及びレール１４から所定量後方に離れた状態に維持し、下側反射板要素１２を上側反射板要素１１の背面１１ｂに沿って支障なく移動することを可能としている。
【００４０】
下側格納用ワイヤロープ６は、図１に示すように、一端部が連結手段４のピン４ｃに連結され、中間部がスノコ３に設けられた第２の定滑車３４に巻回することによってその延在する方向が変換され、他端部がその変換された方向の先にある後述する駆動装置７に連結されている。
【００４１】
第２の定滑車３４は、格納位置Ｂ１に移動した状態における下側反射板要素１２の各連結手段４のほぼ真上に対応するスノコ３の各部位に設けられている。ただし、これらの各第２の定滑車３４は、上述したブラケット３２及び第１の定滑車３３と干渉しないように、これらのブラケット３２及び第１の定滑車３３から所定の間隔だけ離れた位置に配置されている。
【００４２】
駆動装置７は、図９に示すように、上述した２本の各上側格納用ワイヤロープ５のうち一方の上側格納用ワイヤロープ５を駆動する第１の上側ドラム７１と、他方の上側格納用ワイヤロープ５を駆動する第２の上側ドラム７２とを備えていると共に、上述した２本の各下側格納用ワイヤロープ６のうち一方の下側格納用ワイヤロープ６を駆動する第１の下側ドラム７３と、他方の下側格納用ワイヤロープ６を駆動する第２の下側ドラム７４とを備えている。
【００４３】
これらの各ドラム７１、７２、７３、７４は、それぞれの外周面に各上側格納用ワイヤロープ５及び各下側格納用ワイヤロープ６を巻き取る方向に回転することにより、図１に示すように、各上側格納用ワイヤロープ５及び各下側格納用ワイヤロープ６に牽引力を与えると共に、当該牽引力の方向に各上側格納用ワイヤロープ５及び各下側格納用ワイヤロープ６を移動し、これによって、上側反射板要素１１及び下側反射板要素１２を引き上げながら設置位置Ａ１から格納位置Ｂ１に移動するようになっている。
【００４４】
また、各ドラム７１、７２、７３、７４は、上側反射板要素１１及び下側反射板要素１２を格納位置Ｂ１に移動した状態で停止することによって、各上側格納用ワイヤロープ５及び各下側格納用ワイヤロープ６の牽引力をそのまま維持し、これによって上側反射板要素１１及び下側反射板要素１２を格納位置Ｂ１に保持するようになっている。
【００４５】
更に、各ドラム７１、７２、７３、７４は、それぞれの外周面から各上側格納用ワイヤロープ５及び各下側格納用ワイヤロープ６を巻き出す方向に回転することにより、各上側格納用ワイヤロープ５及び各下側格納用ワイヤロープ６の牽引力を徐々に解除すると共に、当該牽引力を解除する方向に各上側格納用ワイヤロープ５及び各下側格納用ワイヤロープ６を移動し、これによって、上側反射板要素１１及び下側反射板要素１２を降下させながら格納位置Ｂ１から設置位置Ａ１に移動するようになっている。
【００４６】
そして、各ドラム７１、７２、７３、７４は、各上側格納用ワイヤロープ５及び各下側格納用ワイヤロープ６の牽引力をほぼ完全に除去する状態まで巻き出した状態で停止することにより、設置用ワイヤロープ２によって吊下げられた状態に上側反射板要素１１を移行させると共に、当該上側反射板要素１１に吊下げられた状態に下側反射板要素１２を移行させるようになっている。
【００４７】
また、第１の上側ドラム７１と第１の下側ドラム７３は、図９に示すように、第１の基礎フレーム７５に同軸状に回転自在に設けられており、第２の上側ドラム７２と第２の下側ドラム７４は、第２の基礎フレーム７６に同軸状に回転自在に設けられている。各基礎フレーム７５、７６は、各ドラム７１、７２、７３、７４が同軸状となるようにスノコ３上に設置されている。なお、各ドラム７１、７２、７３、７４の外周面の径は、全て同一に形成されている。
【００４８】
そして、各ドラム７１、７２、７３、７４は、各基礎フレーム７５、７６に設けた駆動軸７７によって回転駆動されるようになっている。各駆動軸７７は、カップリング７７ａを介して互いに同軸状に連結されていると共に、カップリング７７ｂを介して一の回転駆動源（駆動源）７８に連結されており、当該回転駆動源７８から出力される回転速度で回転駆動されるようになっている。
【００４９】
即ち、各ドラム７１、７２、７３、７４は、同一の回転速度で回転する駆動軸７７によって駆動されるようになっている。そして、各上側格納用ワイヤロープ５及び各下側格納用ワイヤロープ６は、それぞれに対応する各ドラム７１、７２、７３、７４の外周面に巻き取られることによって牽引力を発揮すると共に、当該巻き取られる方向に移動することにより、上側反射板要素１１と下側反射板要素１２とを上下に連なる設置状態から厚さ方向に重なる格納状態に徐々に変化させ、各ドラム７１、７２、７３、７４の外周面から巻き出されることによって牽引力を徐々に解除すると共に、当該巻き出される方向に移動することにより、格納状態から前記設置状態まで徐々に変化するように、上側反射板要素１１より下側反射板要素１２を高い移動速度で駆動するようになっている。
【００５０】
このため、第１及び第２の上側ドラム７１、７２と、第１及び第２の下側ドラム７３、７４とでは、回転速度（外周速度）が異なるように構成されている。但し、上側ドラム７１、７２同士の回転速度は同一であり、下側ドラム７３、７４同士の回転速度も同一である。
【００５１】
第１及び第２の上側ドラム７１、７２は、各ドラム７１、７２の軸端部に同軸状に設けられた第１の被駆動歯車７ａと、駆動軸７７に同軸状に設けられた第１の駆動歯車７ｂとが噛み合うことによって第１の回転速度で駆動されるようになっている。また、第１及び第２の下側反射板用ドラム７３、７４は、各ドラム７３、７４の軸端部に同軸状に設けられた第２の被駆動歯車７ｃと、駆動軸７７に同軸状に設けられた第２の駆動歯車７ｄとが噛み合うことによって第２の回転速度で駆動されるようになっている。
【００５２】
ここで、第１の被駆動歯車７ａの歯数をＺ１、第１の駆動歯車７ｂの歯数をＺ２、第２の被駆動歯車７ｃの歯数をＺ３、第２の駆動歯車７ｄの歯数をＺ４とすると、その歯数比は（Ｚ１／Ｚ２）＜（Ｚ３／Ｚ４）となっている。このことから、上側ドラム７１、７２の第１の回転速度の方が下側ドラム７３、７４の第２の回転速度より高くなっている。
【００５３】
これは、動滑車１３ｄによって上側反射板要素１１の移動速度が上側格納用ワイヤロープ５の移動速度の１／２に減速されていることから、上側格納用ワイヤロープ５の移動速度を高めることによって、上側反射板要素１１の移動速度を高めたものである。ただし、上述した歯数比は、上側反射板要素１１の移動速度を下側反射板要素１２の移動速度より低く抑えた所定の歯数比に設定されている。
【００５４】
回転駆動源７８は、図示しない電動モータの回転を減速機７８ａで減速し、更にギヤ７８ｂ、７８ｃによって減速した後の回転を出力軸７８ｄから出力するようになっている。出力軸７８ｄは、カップリング７７ｂを介して一方の駆動軸７７に連結されている。減速機７８ａ、ギヤ７８ｂ、７８ｃ等は、基礎フレーム７８１に設置されるようになっており、基礎フレーム７８１は、スノコ３に設置されている。
【００５５】
また、図９は平面図を示しており、上記電動モータは、図９の紙面から上方に浮き上がる位置に配置されており、その回転がＶベルト（図示せず）及びプーリー７８ｅを介して減速機７８ａに伝達されるようになっている。減速機７８ａは、ウォームギヤを用いたもので構成されており、カップリング７７ｂ側から作用する回転力をウォームギヤによって保持するようになっている。即ち、減速機７８ａは、各格納用ワイヤロープ５、６によって上側反射板要素１１及び下側反射板要素１２を格納位置Ｂ１に移動し、この状態で電動モータを停止した際に、各格納用ワイヤロープ５、６の牽引力をそのまま維持し、上側反射板要素１１及び下側反射板要素１２を格納位置Ｂ１に安定的に保持するようになっている。
【００５６】
上記のように構成された音響反射板移動装置１００においては、側面音響反射板１が上側反射板要素１１と下側反射板要素１２とによって構成され、各反射板要素１１、１２は、設置位置Ａ１においては音響反射板としての機能を発揮すべく上下方向に連なった設置状態となり、格納位置Ｂ１においては上方に移動すると共に互いに厚さ方向に重なった格納状態となるように構成されているので、格納位置Ｂ１における側面音響反射板１の下縁の高さを人や物等が当たらないような高さまで高めた場合でも、それに連れて側面音響反射板１の上縁の高さが高くなるのを防止することができる。従って、舞台Ａの周囲を構成する施設の天井の高さを低く抑えることができる。
【００５７】
また、設置位置Ａ１から格納位置Ｂ１へ移動する過程で上下方向に連なる設置状態から厚さ方向に重なる格納状態に変化し、かつ格納位置Ｂ１から設置位置Ａ１に移動する過程で格納状態から設置状態に変化するよう、上側反射板要素１１に対して下側反射板要素１２の移動速度を高く設定しているので、側面音響反射板１を短時間で効率良く設置状態又は格納状態に移行させることができる。しかも、例えば設置位置Ａ１から格納位置Ｂ１に移動する過程における側面音響反射板１の下縁の上昇速度が増加することになるので、設置位置Ａ１から格納位置Ｂ１までの間の舞台Ａや袖Ｂ等の床上に人がいたり、物Ｗ（図１参照）等があったりする場合でも、当該物Ｗ等に側面音響反射板１の下縁が当たるのを極力防止することができる。従って、舞台Ａの周囲を所定の物Ｗを設置するなど有効に利用することができる。
【００５８】
更に、上側反射板要素１１の背面１１ｂに、設置位置Ａ１と格納位置Ｂ１との間での移動に際して、各反射板要素１１、１２を厚さ方向に重なるように案内するレール１４が設けられているので、上下に連なった設置状態から厚さ方向に重なった格納状態に確実に移行させることができると共に、その反対の方向にも確実に移行させることができる。
【００５９】
しかも、下側反射板要素１２にはレール１４に沿って移動する連結手段４が設けられているので、下側反射板要素１２と上側反射板要素１１との干渉を避けながら、これらの下側反射板要素１２及び上側反射板要素１１を設置位置Ａ１や格納位置Ｂ１に円滑に移動させることができる。また、連結手段４は、そのローラ４ｂがレール１４の下端部のストッパ１５に当たることにより、設置位置Ａ１における上側反射板要素１１に対する下側反射板要素１２の位置を決定し、上側反射板要素１１の表面１１ｃと下側反射板要素１２の表面１２ｂとを面一状に維持することができる利点がある。
【００６０】
更に、設置位置Ａ１においては設置用ワイヤロープ２のみによって上側反射板要素１１を鉛直方向に保持することができると共に、その下方に連なるようにして下側反射板要素１２を鉛直方向に保持することができる。しかも、上側反射板要素１１及び下側反射板要素１２については、駆動装置７によって牽引力を発揮する方向に各上側格納用ワイヤロープ５及び各下側格納用ワイヤロープ６を移動することによって設置位置Ａ１から格納位置Ｂ１に移動することができると共に、格納位置Ｂ１において回転駆動源７８の電動モータを停止するだけで減速機７８ａにより当該格納位置Ｂ１に保持することができ、かつ駆動装置７によって牽引力を解除する方向に各上側格納用ワイヤロープ５及び各下側格納用ワイヤロープ６を移動することによって格納位置Ｂ１から設置位置Ａ１に移動することができる。
【００６１】
また、各格納用ワイヤロープ５、６は駆動装置７における一の回転駆動源７８によって駆動された外周速度の異なる各ドラム７１、７２、７３、７４の外周面に巻き取られることによって牽引力を発揮すると共に、当該巻き取られる方向に移動し、各ドラム７１、７２、７３、７４の外周面から巻き出されることによって牽引力を解除すると共に、当該巻き出される方向に移動することにより、下側反射板要素１２を上側反射板要素１１より高い速度で設置位置Ａ１及び格納位置Ｂ１に移動するようになっているので、上側反射板要素１１と下側反射板要素１２との相対的な速度を乱すことなく、これらの反射板要素１１、１２を設置位置Ａ１や格納位置Ｂ１に確実に移動することができる。しかも、回転駆動源７８としては一つであるので、部品点数やコストの低減も図ることができる。また、各ドラム７１、７２、７３、７４を同期させて駆動するための制御装置も不要であるという利点もある。
【００６２】
なお、上記実施の形態においては、側面音響反射板１を上側反射板要素１１と下側反射板要素１２とからなる２枚の反射板要素によって構成した例を示したが、この側面音響反射板１としては、３枚以上の複数の反射板要素によって構成してもよい。ただし、音響反射板を３枚以上の反射板要素で構成した場合には、最下位地以外の反射板要素の背面に上述したレール１４を設け、各レール１４を有する反射板要素の直下の反射板要素には上述した連結手段４を設けることになる。また、下側格納用ワイヤロープ６や、第２の定滑車３４や、駆動装置７における下側ドラムについては、下側反射板要素１２の増加する量に応じて増設することになる。この場合の下側ドラムは、同一の回転駆動源７８によって駆動されることになるが、駆動軸７７に設けられる駆動歯車と、下側ドラムに設けられる被駆動歯車によって、下方に位置する下側反射板要素１２ほど高速で移動するように回転速度を設定することになる。
【００６３】
また、上記実施の形態においては、設置用索条や、格納用索条として設置用ワイヤロープ２や、上側格納用ワイヤロープ５及び下側格納用ワイヤロープ６を用いた例を示している。即ち、索条として、ワイヤロープを用いた例を示しているが、この索条としては、天然繊維や合成繊維で形成されたロープや、金属や合成樹脂等で構成されたチェーンその他の屈曲自在な紐状に延在するもので構成してもよい。即ち、設置用ワイヤロープ２は、設置用ロープや設置用チェーン等であってもよく、格納用ワイヤロープ５、６は、格納ロープや、格納チェーン等であってもよい。
【図面の簡単な説明】
【００６４】
【図１】本発明の一実施の形態として示した音響反射板移動装置の説明図である。
【図２】同音響反射板移動装置によって移動する音響反射板の種類を示す平面図である。
【図３】同音響反射板移動装置において例示した連結部材を示す正面図である。
【図４】同音響反射板移動装置によって移動する側面音響反射板の要部を示す平面図である。
【図５】同音響反射板移動装置において例示したレール及び連結手段を示す正面図である。
【図６】同音響反射板移動装置において例示したレールの下端部を示す正面図である。
【図７】同音響反射板移動装置において例示したレールの下端部を示す図であって、図６のVII−VII線に沿う断面図である。
【図８】同音響反射板移動装置において例示したレールの下端部を示す図であって、図６のVIII矢視図である。
【図９】同音響反射板移動装置において例示した駆動装置を示す平面図である。
【符号の説明】
【００６５】
１  側面音響反射板（音響反射板）
２  設置用ワイヤロープ（設置用索条）
３  スノコ
４  連結手段
５  上側格納用ワイヤロープ（格納用索条）
６  下側格納用ワイヤロープ（格納用索条）
１１  上側反射板要素（反射板要素）
１１ｂ  背面
１２  下側反射板要素（反射板要素）
１４  レール（案内手段）
７１  第１の上側ドラム（ドラム）
７２  第２の上側ドラム（ドラム）
７３  第１の下側ドラム（ドラム）
７４  第２の下側ドラム（ドラム）
７８  回転駆動源（駆動源）
Ａ  舞台
Ｂ  舞台の袖
Ａ１  設置位置
Ｂ１  格納位置
【図１】
2008272346.tif 000003
【図２】
2008272346.tif 000004
【図３】
2008272346.tif 000005
【図４】
2008272346.tif 000006
【図５】
2008272346.tif 000007
【図６】
2008272346.tif 000008
【図７】
2008272346.tif 000009
【図８】
2008272346.tif 000010
【図９】
2008272346.tif 000011